(57)【要約】【課題】コンテンツ画像のサイズや位置を変更した場合にコンテンツ画像と描画画像との間に生じるずれを抑制可能な画像表示装置及びその制御方法を提供する。【解決手段】コンテンツ画像が入力される画像情報入力部１５と、投写面Ｓｐ上で発光ペン２により指示された指示位置を検出する検出部１０ａと、検出部１０ａで検出された指示位置の軌跡に基づいて描画画像を生成する描画画像生成部１０ｂと、コンテンツ画像Ｉｃに描画画像Ｉｄを合成する画像情報合成部１７と、画像情報合成部１７で合成された画像を投写面Ｓｐに投写する画像投写部１８と、コンテンツ画像のサイズ及び位置の少なくとも一方を変更する画像情報処理部１６と、コンテンツ画像に施される変更に対応する変更を描画画像に施すＯＳＤ処理部１４と、を備える。【選択図】図２
2020042322.tif 000002
【特許請求の範囲】
【請求項１】
表示面に画像を表示する画像表示装置であって、
第１の画像が供給される入力部と、
前記表示面上で指示体により指示された指示位置を検出する検出部と、
前記検出部で検出された前記指示位置の軌跡に基づいて第２の画像を生成する生成部と、
前記第１の画像に前記第２の画像を合成する合成部と、
前記合成部で合成された前記第１の画像及び前記第２の画像を前記表示面に表示する表示部と、
前記入力部に供給された前記第１の画像のサイズ及び位置の少なくとも一方を変更する第１の処理部と、
前記生成部で生成された前記第２の画像に、前記第１の処理部によって前記第１の画像に施される変更に対応する変更を施す第２の処理部と、
を備えることを特徴とする画像表示装置。
【請求項２】
請求項１に記載の画像表示装置であって、
前記第２の処理部は、前記第１の画像のサイズが変更された場合には、前記第２の画像のサイズを変更することを特徴とする画像表示装置。
【請求項３】
請求項１に記載の画像表示装置であって、
前記第２の処理部は、前記第１の画像の位置が変更された場合には、前記第２の画像の位置を変更することを特徴とする画像表示装置。
【請求項４】
請求項１〜３のいずれか一項に記載の画像表示装置であって、
前記第１の画像に並べて第３の画像を表示する場合に、前記第１の処理部は、前記第３の画像が前記第１の画像と重ならないように前記第１の画像のサイズ及び位置の少なくとも一方を変更することを特徴とする画像表示装置。
【請求項５】
請求項４に記載の画像表示装置であって、
前記第３の画像は、ユーザーの操作を補助するための操作画像であることを特徴とする画像表示装置。
【請求項６】
請求項４又は５に記載の画像表示装置であって、
前記表示部は、前記合成部で合成された前記第１の画像及び前記第２の画像が形成される画像形成部を有し、
前記第１の処理部は、前記画像形成部における前記第１の画像の外側の周辺領域に前記第３の画像を配置すると前記第１の画像と前記第３の画像とが重なる場合に、前記第１の画像のサイズ及び位置の少なくとも一方を変更することを特徴とする画像表示装置。
【請求項７】
請求項４〜６のいずれか一項に記載の画像表示装置であって、
前記画像形成部の解像度に応じた解像度情報が記憶された解像度情報記憶部をさらに備え、
前記入力部には、前記解像度情報記憶部から前記解像度情報を取得した画像供給装置により、前記解像度情報に基づく解像度で前記第１の画像が入力され、
前記第１の処理部は、前記第１の画像のサイズを変更する場合に、前記画像形成部から前記第３の画像を配置する領域を除外した領域の解像度に応じて前記解像度情報を変更することを特徴とする画像表示装置。
【請求項８】
表示面に画像を表示する画像表示装置の制御方法であって、
前記画像表示装置は、
第１の画像の供給を受け、
前記表示面上で指示体により指示された指示位置を検出し、
前記指示位置の軌跡に基づいて第２の画像を生成し、
前記第１の画像に前記第２の画像を合成し、
合成された前記第１の画像及び前記第２の画像を前記表示面に表示し、
供給された前記第１の画像のサイズ及び位置の少なくとも一方を変更する場合に、前記第１の画像に施される変更に対応する変更を前記第２の画像に施すことを特徴とする画像表示装置の制御方法。
【請求項９】
請求項８に記載の画像表示装置の制御方法であって、
前記画像表示装置は、前記第１の画像のサイズを変更する場合には、前記第２の画像のサイズを変更することを特徴とする画像表示装置の制御方法。
【請求項１０】
請求項８に記載の画像表示装置の制御方法であって、
前記画像表示装置は、前記第１の画像の位置を変更する場合には、前記第２の画像の位置を変更することを特徴とする画像表示装置の制御方法。
【請求項１１】
請求項８〜１０のいずれか一項に記載の画像表示装置の制御方法であって、
前記画像表示装置は、前記第１の画像に並べて第３の画像を表示する場合に、前記第３の画像が前記第１の画像と重ならないように前記第１の画像のサイズ及び位置の少なくとも一方を変更することを特徴とする画像表示装置の制御方法。
【請求項１２】
請求項１１に記載の画像表示装置の制御方法であって、
前記第３の画像は、ユーザーの操作を補助するための操作画像であることを特徴とする画像表示装置の制御方法。
【請求項１３】
請求項１１又は１２に記載の画像表示装置の制御方法であって、
前記画像表示装置は、
前記第１の画像及び前記第２の画像を、画像形成部に形成することによって前記表示面に表示し、
前記画像形成部における前記第１の画像の外側の周辺領域に前記第３の画像を配置すると前記第１の画像と前記第３の画像とが重なる場合に、前記第１の画像のサイズ及び位置の少なくとも一方を変更することを特徴とする画像表示装置の制御方法。
【請求項１４】
請求項１１〜１３のいずれか一項に記載の画像表示装置の制御方法であって、
前記画像表示装置は、
前記画像形成部の解像度に応じた解像度情報が記憶された解像度情報記憶部を備えており、
前記解像度情報記憶部から前記解像度情報を取得した画像供給装置により、前記解像度情報に基づく解像度で前記第１の画像の供給を受け、
前記第１の画像のサイズを変更する場合に、前記画像形成部から前記第３の画像を配置する領域を除外した領域の解像度に応じて前記解像度情報を変更することを特徴とする画像表示装置の制御方法。
【発明の詳細な説明】
【技術分野】
【０００１】
本発明は、画像表示装置及びその制御方法に関する。
【背景技術】
【０００２】
コンテンツ画像と同時にＯＳＤ（オンスクリーンディスプレイ）画像を表示する画像表示装置が知られている。このような画像表示装置の１つとして、特許文献１には、ＯＳＤ画像を表示する際に、コンテンツ画像を必要に応じて移動させたり縮小させたりして、コンテンツ画像と重ならない位置にＯＳＤ画像を表示する画像投写装置が記載されている。この画像投写装置によれば、ＯＳＤ画像によってコンテンツ画像の一部が隠れてしまうことがないため、コンテンツ画像の視認性が向上する。
【先行技術文献】
【特許文献】
【０００３】
【特許文献１】特開２０１５−１７６１０２号公報
【特許文献２】特開２０１５−１５８８８７号公報
【発明の概要】
【発明が解決しようとする課題】
【０００４】
しかしながら、特許文献２に記載のプロジェクターのように、発光ペン等の指示体でコンテンツ画像に重ねて描画を行うことが可能な画像表示装置では、ＯＳＤ画像の表示等に伴ってコンテンツ画像が移動したり縮小したりすると、コンテンツ画像と描画した画像との間でずれが生じてしまうという問題を有している。
【課題を解決するための手段】
【０００５】
本願の画像表示装置は、表示面に画像を表示する画像表示装置であって、第１の画像が供給される入力部と、前記表示面上で指示体により指示された指示位置を検出する検出部と、前記検出部で検出された前記指示位置の軌跡に基づいて第２の画像を生成する生成部と、前記第１の画像に前記第２の画像を合成する合成部と、前記合成部で合成された前記第１の画像及び前記第２の画像を前記表示面に表示する表示部と、前記入力部に供給された前記第１の画像のサイズ及び位置の少なくとも一方を変更する第１の処理部と、前記生成部で生成された前記第２の画像に、前記第１の処理部によって前記第１の画像に施される変更に対応する変更を施す第２の処理部と、を備えることを特徴とする。
【０００６】
上記の画像表示装置において、前記第２の処理部は、前記第１の画像のサイズが変更された場合には、前記第２の画像のサイズを変更する。
【０００７】
上記の画像表示装置において、前記第２の処理部は、前記第１の画像の位置が変更された場合には、前記第２の画像の位置を変更する。
【０００８】
上記の画像表示装置において、前記第１の画像に並べて第３の画像を表示する場合に、前記第１の処理部は、前記第３の画像が前記第１の画像と重ならないように前記第１の画像のサイズ及び位置の少なくとも一方を変更するようにしてもよい。
【０００９】
上記の画像表示装置において、前記第３の画像は、ユーザーの操作を補助するための操作画像であってもよい。
【００１０】
上記の画像表示装置において、前記表示部は、前記合成部で合成された前記第１の画像及び前記第２の画像が形成される画像形成部を有し、前記第１の処理部は、前記画像形成部における前記第１の画像の外側の周辺領域に前記第３の画像を配置すると前記第１の画像と前記第３の画像とが重なる場合に、前記第１の画像のサイズ及び位置の少なくとも一方を変更するようにしてもよい。
【００１１】
上記の画像表示装置において、前記画像形成部の解像度に応じた解像度情報が記憶された解像度情報記憶部をさらに備え、前記入力部には、前記解像度情報記憶部から前記解像度情報を取得した画像供給装置により、前記解像度情報に基づく解像度で前記第１の画像が入力され、前記第１の処理部は、前記第１の画像のサイズを変更する場合に、前記画像形成部から前記第３の画像を配置する領域を除外した領域の解像度に応じて前記解像度情報を変更するようにしてもよい。
【００１２】
本願の画像表示装置の制御方法は、表示面に画像を表示する画像表示装置の制御方法であって、前記画像表示装置は、第１の画像の供給を受け、前記表示面上で指示体により指示された指示位置を検出し、前記指示位置の軌跡に基づいて第２の画像を生成し、前記第１の画像に前記第２の画像を合成し、合成された前記第１の画像及び前記第２の画像を前記表示面に表示し、供給された前記第１の画像のサイズ及び位置の少なくとも一方を変更する場合に、前記第１の画像に施される変更に対応する変更を前記第２の画像に施すことを特徴とする。
【００１３】
上記の画像表示装置の制御方法において、前記画像表示装置は、前記第１の画像のサイズを変更する場合には、前記第２の画像のサイズを変更する。
【００１４】
上記の画像表示装置の制御方法において、前記画像表示装置は、前記第１の画像の位置を変更する場合には、前記第２の画像の位置を変更する。
【００１５】
上記の画像表示装置の制御方法において、前記画像表示装置は、前記第１の画像に並べて第３の画像を表示する場合に、前記第３の画像が前記第１の画像と重ならないように前記第１の画像のサイズ及び位置の少なくとも一方を変更するようにしてもよい。
【００１６】
上記の画像表示装置の制御方法において、前記第３の画像は、ユーザーの操作を補助するための操作画像であってもよい。
【００１７】
上記の画像表示装置の制御方法において、前記画像表示装置は、前記第１の画像及び前記第２の画像を、画像形成部に形成することによって前記表示面に表示し、前記画像形成部における前記第１の画像の外側の周辺領域に前記第３の画像を配置すると前記第１の画像と前記第３の画像とが重なる場合に、前記第１の画像のサイズ及び位置の少なくとも一方を変更するようにしてもよい。
【００１８】
上記の画像表示装置の制御方法において、前記画像表示装置は、前記画像形成部の解像度に応じた解像度情報が記憶された解像度情報記憶部を備えており、前記解像度情報記憶部から前記解像度情報を取得した画像供給装置により、前記解像度情報に基づく解像度で前記第１の画像の供給を受け、前記第１の画像のサイズを変更する場合に、前記画像形成部から前記第３の画像を配置する領域を除外した領域の解像度に応じて前記解像度情報を変更するようにしてもよい。
【図面の簡単な説明】
【００１９】
【図１】画像表示システムを示す斜視図。
【図２】プロジェクターの概略構成を示すブロック図。
【図３】プロジェクターが備える画像投写部の概略構成を示すブロック図。
【図４Ａ】サイズ調整機能を説明するための説明図であり、液晶ライトバルブの画素領域を示す図。
【図４Ｂ】サイズ調整機能を説明するための説明図であり、投写面に投写された投写画像を示す図。
【図５Ａ】サイズ調整機能を説明するための説明図であり、液晶ライトバルブの画素領域を示す図。
【図５Ｂ】サイズ調整機能を説明するための説明図であり、投写面に投写された投写画像を示す図。
【図６Ａ】位置調整機能を説明するための説明図であり、液晶ライトバルブの画素領域を示す図。
【図６Ｂ】位置調整機能を説明するための説明図であり、投写面に投写された投写画像を示す図。
【図７Ａ】位置調整機能を説明するための説明図であり、液晶ライトバルブの画素領域を示す図。
【図７Ｂ】位置調整機能を説明するための説明図であり、投写面に投写された投写画像を示す図。
【図８Ａ】ツールバーを説明するための説明図であり、ツールバーが非表示の状態の画素領域を示す図。
【図８Ｂ】ツールバーを説明するための説明図であり、ツールバーが表示された状態の画素領域を示す図。
【図９Ａ】ツールバーの配置を説明するための説明図であり、ツールバーが非表示の状態の画素領域を示す図。
【図９Ｂ】ツールバーの配置を説明するための説明図であり、ツールバーが表示された状態の画素領域を示す図。
【図１０Ａ】ツールバーの配置を説明するための説明図であり、ツールバーが非表示の状態の画素領域を示す図。
【図１０Ｂ】ツールバーの配置を説明するための説明図であり、ツールバーが表示された状態の画素領域を示す図。
【図１１】ツールバーを表示する場合のプロジェクターの動作を説明するためのフローチャート。
【図１２】プロジェクターの動作を説明するための説明図であり、画素領域を示す図。
【図１３】プロジェクターの動作を説明するための説明図であり、画素領域を示す図。
【図１４】プロジェクターの動作を説明するための説明図であり、画素領域を示す図。
【図１５】コンテンツ画像の解像度が変化した場合のプロジェクターの動作を示すフローチャート。
【図１６Ａ】変形例に係るプロジェクターの動作を説明するための説明図であり、コンテンツ画像を単独で表示している状態の画素領域を示す図。
【図１６Ｂ】変形例に係るプロジェクターの動作を説明するための説明図であり、複数のコンテンツ画像を並べて表示している状態の画素領域を示す図。
【発明を実施するための形態】
【００２０】
以下、本実施形態の画像表示システムについて、図面を参照して説明する。
図１は、本実施形態の画像表示システム１００を示す斜視図である。
【００２１】
図１に示すように、画像表示システム１００は、画像表示装置としてのプロジェクター１と、指示体としての発光ペン２とを備えている。プロジェクター１は、表示面としての投写面Ｓｐに画像を投写して表示する。プロジェクター１から投写される投写画像Ｉｐには、視聴の対象であるコンテンツに係る画像Ｉｃが含まれる。これ以降、画像Ｉｃを「コンテンツ画像Ｉｃ」とも表記する。本実施形態のプロジェクター１は、固定部材Ｔを介して壁面に固定されており、同じ壁面に沿って配置されている投写面Ｓｐに向けて画像を投写する。投写面Ｓｐとしては、例えば、スクリーンやホワイトボード等を用いることができるが、壁面自体に画像を投写する態様であってもよい。
【００２２】
発光ペン２は、赤外光を発する発光部２ａを先端部に備えるとともに、先端部による投写面Ｓｐへの押圧、即ち投写面Ｓｐへのタッチを検出する図示しない押圧検出部を備えている。発光部２ａは、発光ペン２が動作している間、所定の発光シーケンスで点滅を繰り返す。そして、発光部２ａは、投写面Ｓｐへのタッチの有無に応じて発光シーケンスを切り替える。このため、プロジェクター１は、発光部２ａの発光シーケンスによって発光ペン２によるタッチの有無を識別することができる。なお、発光ペン２は、赤外光以外の波長域の光を発する態様であってもよい。
【００２３】
プロジェクター１は、投写画像Ｉｐを含む範囲を撮像可能になっている。プロジェクター１は、撮像された画像の中から、発光ペン２が発した光を検出し、検出された光の位置を、発光ペン２により指示された指示位置として検出する。また、プロジェクター１は、検出された光の発光シーケンスに基づいて、投写面Ｓｐへのタッチの有無を検知する。そして、プロジェクター１は、検出された指示位置に図示しないポインターを重畳して表示したり、タッチされた状態での指示位置の軌跡に沿って線が描画されたような画像Ｉｄを重畳して表示したりすることができる。これ以降、画像Ｉｄを「描画画像Ｉｄ」とも表記する。
【００２４】
図２は、プロジェクター１の概略構成を示すブロック図であり、図３は、プロジェクター１が備える画像投写部１８の概略構成を示すブロック図である。
【００２５】
図２に示すように、プロジェクター１は、制御部１０と、記憶部１１と、入力操作部１２と、撮像部１３と、第２の処理部としてのＯＳＤ処理部１４と、入力部としての画像情報入力部１５と、第１の処理部としての画像情報処理部１６と、合成部としての画像情報合成部１７と、表示部としての画像投写部１８とを一体的に備えて構成されている。プロジェクター１は、画像情報入力部１５に入力される画像情報に基づいて、画像投写部１８から投写面Ｓｐに画像を投写する。
【００２６】
制御部１０は、１つ又は複数のプロセッサーを備えて構成され、記憶部１１に記憶されている制御プログラムに従って動作することによりプロジェクター１の動作を統括制御する。
【００２７】
記憶部１１は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１の動作を制御するための制御プログラムや制御データ等を記憶する。また、記憶部１１は、画像投写部１８から投写するための画像情報を記憶していてもよい。
【００２８】
入力操作部１２は、ユーザーがプロジェクター１に対して各種指示を行うための複数の操作キーを備えている。入力操作部１２が備える操作キーとしては、電源のオンとオフとを切り替えるための「電源キー」、各種設定を行うためのメニュー画像を表示させる「メニューキー」、メニュー画像上で項目を選択するための「方向キー」等がある。ユーザーが入力操作部１２の各種操作キーを操作すると、入力操作部１２は、ユーザーの操作内容に応じた操作信号を制御部１０に出力する。なお、遠隔操作が可能な図示しないリモコンを、入力操作部１２として用いる構成としてもよい。この場合、リモコンは、ユーザーの操作内容に応じた赤外線の操作信号を発信し、図示しないリモコン信号受信部がこれを受信して制御部１０に伝達する。
【００２９】
撮像部１３は、ＣＣＤ（Charge Coupled Device）センサー、或いはＣＭＯＳ（Complementary Metal Oxide Semiconductor）センサー等の図示しない撮像素子を備えたカメラである。撮像部１３は、可視光を吸収して赤外光を透過させる赤外透過フィルターを有しており、この赤外透過フィルターを介して発光ペン２から発せられる赤外光を撮像する。撮像部１３は、制御部１０の制御に基づいて投写面Ｓｐ上の投写画像Ｉｐを含む範囲を撮像し、その撮像結果である画像情報を制御部１０に出力する。これ以降、撮像部１３が出力する画像情報を「撮像画像情報」とも表記する。
【００３０】
プロジェクター１の制御部１０は、制御プログラムによって実現される機能ブロックとして、検出部１０ａと、生成部としての描画画像生成部１０ｂとを備えている。
【００３１】
検出部１０ａは、撮像部１３から入力される撮像画像情報に基づいて、撮像された画像の中から、発光ペン２が発した赤外光を検出する。検出部１０ａは、撮像された画像内に含まれる赤外光の像のうち、所定の閾値以上の明るさで、所定の閾値以上の大きさを有する像を、発光ペン２が発した光とみなし、その位置を、発光ペン２の指示位置として検出する。また、検出部１０ａは、複数回に亘って取得された撮像画像情報に基づいて、発光ペン２の発光シーケンスを判別し、投写面Ｓｐへのタッチの有無を検知する。
【００３２】
描画画像生成部１０ｂは、検出部１０ａの検出結果に基づいて、指示位置の軌跡に沿って線が描画されたような描画画像Ｉｄを生成する。具体的には、描画画像生成部１０ｂは、発光ペン２が投写面Ｓｐにタッチした状態で指示位置が変化した場合に、指示位置の軌跡に基づいて、描画画像Ｉｄを表す画像情報を生成する。この画像情報は、例えば、ベクター形式で生成され、必要に応じて記憶部１１に記憶される。また、描画画像生成部１０ｂは、ベクター形式の画像情報をラスター形式に変換してＯＳＤ処理部１４に出力する。
【００３３】
ＯＳＤ処理部１４は、図示しないフレームメモリーを備えて構成される。ＯＳＤ処理部１４は、制御部１０の制御に基づいて、コンテンツ画像Ｉｃと同時に表示される各種ＯＳＤ（オンスクリーンディスプレイ）画像の画像情報をフレームメモリー上に生成する。ＯＳＤ画像には、指示位置に表示されるポインターや、描画画像生成部１０ｂにより生成される描画画像Ｉｄの他に、メニューキーが操作された際に表示されるメニュー画像や、各種メッセージを報知するためのメッセージ画像等が含まれる。
【００３４】
画像情報入力部１５は、コンピューターや画像再生装置等の外部の画像供給装置３に接続され、画像供給装置３から、コンテンツ画像Ｉｃに対応する画像情報の供給を受ける。また、画像情報入力部１５は、制御部１０から、記憶部１１に記憶されている画像情報の供給を受けることができる。画像情報入力部１５は、入力された画像情報を画像情報処理部１６に出力する。
【００３５】
画像情報入力部１５は、解析部１５ａを含んでいる。解析部１５ａは、画像供給装置３から入力された画像情報を解析して、縦横の画素数で表される解像度等、コンテンツ画像Ｉｃに関する情報を取得する。解析部１５ａは、取得した情報を制御部１０に出力する。
【００３６】
また、画像情報入力部１５には、ＥＤＩＤ（Extended Display Identification Data）を記憶するＥＤＩＤメモリー１５ｂが含まれている。ＥＤＩＤは、プロジェクター１がサポートしている解像度等を表す情報であり、画像情報入力部１５に接続された画像供給装置３によって読み出される。画像供給装置３は、ＥＤＩＤメモリー１５ｂからＥＤＩＤを取得することにより、プロジェクター１に適した解像度の画像情報を供給することが可能となる。ＥＤＩＤは、解像度情報に相当し、ＥＤＩＤメモリー１５ｂは、解像度情報記憶部に相当する。
【００３７】
画像情報処理部１６は、図示しないフレームメモリーを備えて構成される。画像情報処理部１６は、画像情報入力部１５から入力されるコンテンツ画像Ｉｃの画像情報をフレームメモリーに格納するとともに、フレームメモリー上の画像情報に対して、制御部１０の制御に基づいて様々な処理を施し、処理後の画像情報を画像情報合成部１７に出力する。例えば、画像情報処理部１６は、明るさやコントラスト等の画質を調整する処理や、画像の歪みを補正する処理、画像のサイズや位置を調整する処理等を必要に応じて画像情報に施す。
【００３８】
画像情報合成部１７は、制御部１０の制御に基づいて、コンテンツ画像ＩｃにＯＳＤ画像を合成（重畳）する処理を施す。具体的には、画像情報合成部１７は、画像情報処理部１６から入力されるコンテンツ画像Ｉｃの画像情報と、ＯＳＤ処理部１４から入力されるＯＳＤ画像の画像情報とを合成する。つまり、画像情報処理部１６のフレームメモリーに格納されているコンテンツ画像Ｉｃを第１のレイヤーとし、ＯＳＤ処理部１４のフレームメモリーに格納されているＯＳＤ画像を第２のレイヤーとすると、画像情報合成部１７は、第１のレイヤーと第２のレイヤーとを重ね合わせる処理を行う。画像情報合成部１７は、合成後の画像情報を画像投写部１８のライトバルブ駆動部２４（図３参照）に出力する。
【００３９】
なお、ＯＳＤ処理部１４、画像情報入力部１５、画像情報処理部１６及び画像情報合成部１７は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００４０】
図３に示すように、画像投写部１８は、光源２１、光変調装置としての３つの液晶ライトバルブ２２Ｒ，２２Ｇ，２２Ｂ、投写光学系２３、ライトバルブ駆動部２４等を備えて構成されている。画像投写部１８は、光源２１から射出された光を、液晶ライトバルブ２２Ｒ，２２Ｇ，２２Ｂで変調して画像光を形成し、レンズ及びミラーの少なくとも一方を含む投写光学系２３からこの画像光を投写して投写面Ｓｐに画像を表示する。
【００４１】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ２２Ｒ，２２Ｇ，２２Ｂに入射する。
【００４２】
液晶ライトバルブ２２Ｒ，２２Ｇ，２２Ｂは、それぞれ一対の透明基板間に液晶が封入された透過型の液晶パネル等によって構成される。各液晶パネルには、マトリクス状に配列された複数の画素からなる矩形の画素領域２２ｉが形成されており、液晶に対して画素毎に駆動電圧を印加可能になっている。画素領域２２ｉは、画像形成部に相当する。
【００４３】
ライトバルブ駆動部２４は、液晶ライトバルブ２２Ｒ，２２Ｇ，２２Ｂの画素領域２２ｉに画像を形成する。具体的には、ライトバルブ駆動部２４は、画像情報合成部１７から入力される画像情報に応じた駆動電圧を、画素領域２２ｉの各画素に印加することにより、各画素を画像情報に応じた光透過率に設定する。光源２１から射出された光は、液晶ライトバルブ２２Ｒ，２２Ｇ，２２Ｂの画素領域２２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系２３によって投写面Ｓｐに拡大投写される。この結果、投写面Ｓｐ上には、コンテンツ画像Ｉｃと、描画画像Ｉｄ等のＯＳＤ画像とを含む投写画像Ｉｐが表示される。
【００４４】
本実施形態のプロジェクター１は、制御部１０及び画像情報処理部１６との協働により、サイズ調整機能と、位置調整機能とを実行可能に構成されている。サイズ調整機能は、投写面Ｓｐ上におけるコンテンツ画像Ｉｃのサイズ、即ちコンテンツ画像Ｉｃの縮尺を調整する機能であり、位置調整機能は、投写面Ｓｐ上におけるコンテンツ画像Ｉｃの位置を調整する機能である。
【００４５】
図４Ａ、図４Ｂ、図５Ａ及び図５Ｂは、サイズ調整機能を説明するための説明図である。このうち、図４Ａ及び図５Ａは、液晶ライトバルブ２２Ｒ，２２Ｇ，２２Ｂの画素領域２２ｉを示す図であり、図４Ｂ及び図５Ｂは、投写面Ｓｐに投写された投写画像Ｉｐを示す図である。
【００４６】
コンテンツ画像Ｉｃを大きなサイズで高精細に表示するためには、図４Ａ及び図４Ｂに示すように、画素領域２２ｉの全域を用いてコンテンツ画像Ｉｃを形成することが望ましい。ただし、必要に応じて、コンテンツ画像Ｉｃをより小さなサイズで表示させたい場合には、サイズ調整機能によってコンテンツ画像Ｉｃを縮小させることができる。
【００４７】
図５Ａ及び図５Ｂに示すように、サイズ調整機能は、画素領域２２ｉ内に、画素領域２２ｉよりも小さな矩形の有効領域２２ｅを設定し、この有効領域２２ｅにコンテンツ画像Ｉｃを形成することによって、コンテンツ画像Ｉｃのサイズを調整する機能である。制御部１０が、コンテンツ画像Ｉｃのサイズを表すサイズ調整値を画像情報処理部１６に出力すると、画像情報処理部１６は、入力されたサイズ調整値に応じてコンテンツ画像Ｉｃのサイズを変更する処理を行う。なお、画像情報処理部１６に出力されたサイズ調整値は、制御部１０によって記憶部１１に記憶される。
【００４８】
画像情報処理部１６は、制御部１０からサイズ調整値が入力されると、サイズ調整値に応じたサイズの有効領域２２ｅを画素領域２２ｉ内に設定し、画像情報入力部１５から入力される画像情報に対して、設定した有効領域２２ｅ内に画像を形成するための処理を施す。具体的には、画像情報処理部１６は、設定した有効領域２２ｅ内にコンテンツ画像Ｉｃを形成すべく、これ以降、画像情報入力部１５から入力される画像情報を間引いてコンテンツ画像Ｉｃを縮小させる。さらに、画像情報処理部１６は、有効領域２２ｅの外側の領域である周辺領域２２ｎを黒色、即ち光透過率が最小となる色に設定する。この結果、図５Ｂに示すように、画素領域２２ｉの全域にコンテンツ画像Ｉｃを形成した場合に比べて、コンテンツ画像Ｉｃを小さなサイズで表示することが可能となる。このとき、投写画像Ｉｐ内において、コンテンツ画像Ｉｃの外側の領域Ｉｂ、即ち周辺領域２２ｎに対応する領域Ｉｂは、黒色に設定されているため、ユーザーに視認されにくくなっている。
【００４９】
図６Ａ、図６Ｂ、図７Ａ及び図７Ｂは、位置調整機能を説明するための説明図であり、図６Ａ及び図７Ａは、液晶ライトバルブ２２Ｒ，２２Ｇ，２２Ｂの画素領域２２ｉを示す図、図６Ｂ及び図７Ｂは、投写面Ｓｐに投写された投写画像Ｉｐを示す図である。
【００５０】
図５Ａに示したように、位置調整機能は、コンテンツ画像Ｉｃの外側に周辺領域２２ｎが存在する場合に、画素領域２２ｉ内における有効領域２２ｅの位置を変化させることによって、投写面Ｓｐ上のコンテンツ画像Ｉｃの位置を調整する機能である。制御部１０が、有効領域２２ｅの所定の基準位置の座標を表す座標情報を画像情報処理部１６に出力すると、画像情報処理部１６は、入力された座標情報に応じて有効領域２２ｅの位置を変化させる処理を行う。所定の基準位置とは、例えば、有効領域２２ｅの中央である。なお、画像情報処理部１６に出力された座標情報は、制御部１０によって記憶部１１に記憶される。
【００５１】
図６Ａに示すように、画像情報処理部１６は、制御部１０から座標情報が入力されると、この座標情報に基づいて、有効領域２２ｅの位置を変化させる。つまり、画像情報処理部１６は、画素領域２２ｉ内において、入力された座標情報に基づく位置に有効領域２２ｅを設定し、画像情報入力部１５から入力される画像情報に対して、設定した有効領域２２ｅ内に画像を形成するための処理を施す。この結果、図６Ｂに示すように、コンテンツ画像Ｉｃは、座標情報に基づく位置に移動した状態で投写面Ｓｐ上に表示される。図６Ａ及び図６Ｂは、図５Ａ及び図５Ｂの状態からコンテンツ画像Ｉｃが上方に移動した場合を示している。
【００５２】
なお、図７Ａ及び図７Ｂに示すように、プロジェクター１は、コンテンツ画像Ｉｃと画素領域２２ｉとの間でアスペクト比が異なる場合に、コンテンツ画像Ｉｃの左右又は上下に黒色の領域を設ける。この領域も周辺領域２２ｎに該当する。つまり、コンテンツ画像Ｉｃと画素領域の２２ｉとのアスペクト比が異なる場合には、コンテンツ画像Ｉｃを最大のサイズで表示する場合であっても、コンテンツ画像Ｉｃの外側に周辺領域２２ｎが形成されるため、周辺領域２２ｎが形成されている方向にコンテンツ画像Ｉｃを移動させることが可能である。図７Ａ及び図７Ｂに示した例では、コンテンツ画像Ｉｃの左右両側に周辺領域２２ｎが形成されているため、コンテンツ画像Ｉｃを左右方向に移動させることができる。
【００５３】
また、本実施形態のプロジェクター１は、コンテンツ画像Ｉｃを投写している場合に、ユーザーの各種操作を補助する操作画像としてのツールバーＰｔを、コンテンツ画像Ｉｃに並べて表示することが可能になっている。ツールバーＰｔは、ＯＳＤ処理部１４によって生成されるＯＳＤ画像の１つであり、画像情報合成部１７によってコンテンツ画像Ｉｃに合成される。
【００５４】
図８Ａ及び図８Ｂは、ツールバーＰｔを説明するための説明図であり、図８Ａは、ツールバーＰｔが非表示の状態の画素領域２２ｉを示す図、図８Ｂは、ツールバーＰｔが表示された状態の画素領域２２ｉを示す図である。なお、図８Ａは、サイズ調整機能によるコンテンツ画像Ｉｃの縮小を行っていない状態、即ち画素領域２２ｉの全域でコンテンツ画像Ｉｃが形成されている状態を示している。
【００５５】
図８Ａに示すように、ツールバーＰｔが非表示の状態において、コンテンツ画像Ｉｃの１つの隅部に小さな矩形のボタン画像Ｐｓが配置されている。ユーザーは、投写面Ｓｐ上に投写されたボタン画像Ｐｓを発光ペン２でタッチすることにより、ツールバーＰｔを表示させることができる。
【００５６】
図８Ｂに示すように、ユーザーによりボタン画像Ｐｓがタッチされると、画素領域２２ｉの一辺に沿って、細長いツールバーＰｔが配置される。図８Ｂの例では、画素領域２２ｉの下辺に沿ってツールバーＰｔが配置されている。ツールバーＰｔには、複数のアイコンが含まれており、ユーザーは、投写面Ｓｐ上に投写されたツールバーＰｔの中から所望のアイコンを発光ペン２でタッチすることにより、アイコンに対応する処理をプロジェクター１に行わせることができる。
【００５７】
例えば、ツールバーＰｔ内における左側の領域には、所定のホーム画面を表示するためのアイコンや、投写画像Ｉｐをキャプチャーして保存するためのアイコン等、プロジェクター１の基本動作に関わるアイコンが配列されている。また、ツールバーＰｔ内における中央の領域には、発光ペン２で描画を行う際の描画色を指定するためのアイコン等、描画操作に関わるアイコンが配列されている。また、ツールバーＰｔ内における右側の領域には、ツールバーＰｔの位置を変更するためのアイコンや、ツールバーＰｔを非表示に戻すためのアイコンが配置されている。ユーザーは、必要に応じて所望のアイコンを投写面Ｓｐ上でタッチすることにより、様々な処理を簡単に指示することが可能となる。
【００５８】
プロジェクター１の記憶部１１には、ツールバーＰｔの表示状態、即ちツールバーＰｔを表示している状態か非表示の状態かを表すツールバー情報が記憶されており、このツールバー情報は、表示状態が切り替えられる度に更新される。
【００５９】
ツールバーＰｔが配置される位置は、画素領域２２ｉの特定の一辺に沿った位置に固定されておらず、他の辺に沿った位置に変更することも可能である。例えば、プロジェクター１は、ツールバーＰｔの位置を変更するためのアイコンが発光ペン２でタッチされる度に、ツールバーＰｔの表示位置を、下辺→右辺→上辺→左辺→右辺→…のように順次変更させる。上述したツールバー情報には、ツールバーＰｔの表示位置を表す位置情報も含まれており、この位置情報は、ツールバーＰｔの表示位置の変更に伴って更新される。
【００６０】
本実施形態のプロジェクター１は、ツールバーＰｔを表示する際には、ツールバーＰｔがコンテンツ画像Ｉｃに重なって、コンテンツ画像Ｉｃの一部を隠してしまうことがないよう、ツールバーＰｔをコンテンツ画像Ｉｃの外側の周辺領域２２ｎに配置する。ただし、図８Ａに示すように、周辺領域２２ｎが存在していない場合や、周辺領域２２ｎがツールバーＰｔを配置可能な幅を有していない場合には、プロジェクター１は、コンテンツ画像Ｉｃの縮小や移動を行って、必要な大きさの周辺領域２２ｎを確保する。具体的には、図８Ｂに示すように、プロジェクター１は、画素領域２２ｉの一辺に沿ってツールバーＰｔを配置可能とするために、必要に応じて、サイズ調整機能によりコンテンツ画像Ｉｃを縮小させたり、位置調整機能によってコンテンツ画像ＩｃをツールバーＰｔに重ならない位置に移動させたりする。
【００６１】
図９Ａ、図９Ｂ、図１０Ａ及び図１０Ｂは、ツールバーＰｔの配置を説明するための説明図であり、図９Ａ及び図１０Ａは、ツールバーＰｔが非表示の状態の画素領域２２ｉを示す図、図９Ｂ及び図１０Ｂは、ツールバーＰｔが表示された状態の画素領域２２ｉを示す図である。
【００６２】
図９Ａ及び図１０Ａに示すように、コンテンツ画像Ｉｃがサイズ調整機能により既に縮小されて表示されている場合や、コンテンツ画像Ｉｃと画素領域２２ｉとのアスペクト比の違いにより、画素領域２２ｉ内においてコンテンツ画像Ｉｃの外側に十分に大きな幅の周辺領域２２ｎがある場合には、プロジェクター１は、コンテンツ画像Ｉｃの縮小は行わない。
【００６３】
例えば、図９Ａに示すように、コンテンツ画像Ｉｃを移動させるだけで、コンテンツ画像ＩｃとツールバーＰｔとの重なりを回避できる場合には、図９Ｂに示すように、プロジェクター１は、コンテンツ画像Ｉｃを移動させるが、縮小は行わない。また、図１０Ａに示すように、コンテンツ画像Ｉｃの外側の周辺領域２２ｎが十分に大きな幅を有していて、コンテンツ画像Ｉｃを移動させなくてもツールバーＰｔを配置できる場合には、図１０Ｂに示すように、プロジェクター１は、コンテンツ画像Ｉｃの縮小や移動を行うことなくツールバーＰｔを配置する。
【００６４】
図８Ｂ及び図９Ｂに示したように、ツールバーＰｔの表示に伴ってコンテンツ画像Ｉｃが縮小したり移動したりする場合に、プロジェクター１は、それまでに発光ペン２で描画された描画画像Ｉｄについても、同様に縮小や移動を施す。
【００６５】
ＯＳＤ処理部１４は、画素領域２２ｉにおけるコンテンツ画像Ｉｃのサイズ及び位置に応じて、フレームメモリー上に描画領域を設定し、その描画領域上に描画画像Ｉｄを形成する。このため、画像情報処理部１６によってコンテンツ画像Ｉｃのサイズや位置が変更された場合には、ＯＳＤ処理部１４は、コンテンツ画像Ｉｃのサイズの変化に連動させて描画領域のサイズを変化させたり、コンテンツ画像Ｉｃの位置の変化に連動させて描画領域の位置を変化させたりする。さらに、ＯＳＤ処理部１４は、描画領域の変化に合わせて描画済みの描画画像Ｉｄのサイズや位置を変化させる。これにより、コンテンツ画像Ｉｃと描画画像Ｉｄとがずれることなく、連動して変化する。つまり、ＯＳＤ処理部１４は、コンテンツ画像Ｉｃのサイズや位置の変化に連動して、コンテンツ画像Ｉｃに施される変更に対応する変更を描画画像Ｉｄに施す。
【００６６】
図１１は、ツールバーＰｔを表示する場合のプロジェクター１の動作、即ちプロジェクター１の制御方法を説明するためのフローチャートである。また、図１２〜図１４は、プロジェクター１の動作を説明するための説明図であり、画素領域２２ｉを示す図である。ツールバーＰｔが非表示の状態において、ボタン画像Ｐｓが発光ペン２でタッチされると、プロジェクター１の制御部１０は、図１１に示すフローに従って動作を開始する。
【００６７】
図１１に示すように、ステップＳ１０１では、制御部１０は、解析部１５ａが取得したコンテンツ画像Ｉｃの解像度や、サイズ調整機能におけるサイズ調整値、位置調整機能における座標情報等に基づいて、画素領域２２ｉにおけるコンテンツ画像Ｉｃのサイズ及び位置を認識する。
【００６８】
ステップＳ１０２では、制御部１０は、コンテンツ画像Ｉｃのサイズ及び位置に基づいて、画素領域２２ｉにおけるコンテンツ画像Ｉｃの外側の周辺領域２２ｎの幅を導出する。具体的には、図１２に示すように、制御部１０は、コンテンツ画像Ｉｃと画素領域２２ｉとの上辺間の距離である幅Ｙ１と、下辺間の距離である幅Ｙ２と、左辺間の距離である幅Ｘ１と、右辺間の距離である幅Ｘ２とを導出する。なお、ステップＳ１０２で周辺領域２２ｎの幅を導出する際の制御部１０が導出部に相当する。
【００６９】
ステップＳ１０３では、制御部１０は、記憶部１１に記憶されているツールバー情報を読み出して、ツールバーＰｔの表示位置を表す位置情報を取得する。
【００７０】
ステップＳ１０４では、制御部１０は、周辺領域２２ｎの幅がツールバーＰｔを配置するのに十分な大きさであるか否かを判断する。具体的には、制御部１０は、ステップＳ１０２で取得した周辺領域２２ｎの幅Ｘ１，Ｘ２，Ｙ１，Ｙ２を、画素領域２２ｉの下辺又は上辺にツールバーＰｔを配置する場合のツールバーＰｔの幅Ｙ０（図１３参照）、又は画素領域２２ｉの左辺又は右辺にツールバーＰｔを配置する場合のツールバーＰｔの幅Ｘ０（図１４参照）と比較する。そして、制御部１０は、ステップＳ１０３で取得した位置情報が表す位置にツールバーＰｔを配置する場合に、コンテンツ画像Ｉｃに重なることなくツールバーＰｔを配置できるか否かを判断する。例えば、ツールバーＰｔを下辺に配置する場合には、下側の周辺領域２２ｎの幅Ｙ２がツールバーＰｔの幅Ｙ０以上であるか否かを判断する。そして、制御部１０は、周辺領域２２ｎが十分な幅を有していて、ツールバーＰｔを配置できる場合にはステップＳ１０８に処理を移す。一方、ツールバーＰｔを配置できない場合、即ちツールバーＰｔを配置するとコンテンツ画像ＩｃとツールバーＰｔとが重なる場合には、制御部１０は、ステップＳ１０５に処理を移す。
【００７１】
周辺領域２２ｎの幅が十分になくステップＳ１０５に処理が移行した場合には、制御部１０は、ツールバーＰｔを配置可能とするために、コンテンツ画像Ｉｃを移動させるだけでよいか、或いは縮小と移動の両方を行う必要があるのかを判断する。そして、制御部１０は、コンテンツ画像Ｉｃの移動だけでツールバーＰｔが配置可能となる場合にはステップＳ１０６に処理を移し、縮小と移動の両方が必要となる場合にはステップＳ１０９に処理を移す。
【００７２】
具体的には、ツールバーＰｔを投写画像Ｉｐの上辺又は下辺に配置する場合には、制御部１０は、コンテンツ画像Ｉｃの上下にある周辺領域２２ｎの幅の合計値Ｙ１＋Ｙ２と、ツールバーＰｔの幅Ｙ０とを比較し、合計値Ｙ１＋Ｙ２が幅Ｙ０以上の場合には、コンテンツ画像Ｉｃを移動させるだけでよいと判断し、合計値Ｙ１＋Ｙ２が幅Ｙ０未満の場合には、縮小と移動の両方が必要であると判断する。また、ツールバーＰｔを投写画像Ｉｐの左辺又は右辺に配置する場合には、制御部１０は、コンテンツ画像Ｉｃの左右にある周辺領域２２ｎの幅の合計値Ｘ１＋Ｘ２と、ツールバーＰｔの幅Ｘ０とを比較し、合計値Ｘ１＋Ｘ２が幅Ｘ０以上の場合には、コンテンツ画像Ｉｃを移動させるだけでよいと判断し、合計値Ｘ１＋Ｘ２が幅Ｘ０未満の場合には、縮小と移動の両方が必要であると判断する。
【００７３】
コンテンツ画像Ｉｃの移動だけでツールバーＰｔを配置可能と判断されてステップＳ１０６に処理が移行した場合には、制御部１０は、画像情報処理部１６に指示をして、位置調整機能により、コンテンツ画像ＩｃをツールバーＰｔの配置に必要な量だけ必要な方向に移動させる。
【００７４】
そして、ステップＳ１０７では、制御部１０は、ＯＳＤ処理部１４に指示をして、描画済みの描画画像Ｉｄについても、コンテンツ画像Ｉｃと同じ量だけ同じ方向に移動させる。具体的には、描画画像Ｉｄを移動させるために、ＯＳＤ処理部１４は、フレームメモリー上における描画領域の位置を、コンテンツ画像Ｉｃの移動量に応じて変化させ、新たな描画領域上に描画画像Ｉｄを生成する。なお、ＯＳＤ処理部１４は、描画領域を移動させる代わりに、描画画像Ｉｄを画像情報合成部１７にてコンテンツ画像Ｉｃに重ね合わせる際のシフト量（ずらし量）を調整するようにしてもよい。
【００７５】
ステップＳ１０８では、制御部１０は、ＯＳＤ処理部１４に指示をして、ステップＳ１０３で取得した位置情報に基づく位置に、ツールバーＰｔを表示させてフローを終了する。
【００７６】
一方、ステップＳ１０５にて縮小と移動の両方が必要と判断されてステップＳ１０９に処理が移行した場合には、制御部１０は、画像情報処理部１６に指示をして、サイズ調整機能により、コンテンツ画像Ｉｃを必要な量だけ縮小させる。言い換えれば、制御部１０は、コンテンツ画像Ｉｃを縮小させることによって周辺領域２２ｎの幅を大きくする。具体的には、ツールバーＰｔを投写画像Ｉｐの上辺又は下辺に配置する場合には、画像情報処理部１６は、周辺領域２２ｎの幅の合計値Ｙ１＋Ｙ２がツールバーＰｔの幅Ｙ０と等しくなるようにコンテンツ画像Ｉｃを縮小する。また、ツールバーＰｔを投写画像Ｉｐの左辺又は右辺に配置する場合には、画像情報処理部１６は、周辺領域２２ｎの幅の合計値Ｘ１＋Ｘ２がツールバーＰｔの幅Ｘ０と等しくなるようにコンテンツ画像Ｉｃを縮小する。
【００７７】
ステップＳ１１０では、制御部１０は、画像情報処理部１６に指示をして、位置調整機能により、コンテンツ画像ＩｃをツールバーＰｔの配置に必要な量だけ必要な方向に移動させる。具体的には、ステップＳ１０９にて、周辺領域２２ｎの幅の合計値Ｘ１＋Ｘ２，Ｙ１＋Ｙ２の一方がツールバーＰｔの幅Ｘ０，Ｙ０の一方と等しくなったため、有効領域２２ｅは、ツールバーＰｔを配置する辺に対向する辺に接するように設定される。
【００７８】
ステップＳ１１１では、制御部１０は、ＯＳＤ処理部１４に指示をして、描画済みの描画画像Ｉｄについても、コンテンツ画像Ｉｃと同じ縮尺で縮小させ、コンテンツ画像Ｉｃと同じ量だけ同じ方向に移動させる。そして、制御部１０は、ステップＳ１０８に処理を移し、ＯＳＤ処理部１４にツールバーＰｔを表示させてフローを終了する。
【００７９】
なお、図示は省略するが、ツールバーＰｔを表示している状態において、ツールバーＰｔを非表示するためのアイコンがタッチされた場合には、制御部１０は、ＯＳＤ処理部１４に指示をして、ツールバーＰｔを消去させ、ツールバーＰｔの代わりにボタン画像Ｐｓを表示させる。さらに、ツールバーＰｔを表示させた際にコンテンツ画像Ｉｃ及び描画画像Ｉｄの縮小や移動を行った場合には、制御部１０は、画像情報処理部１６及びＯＳＤ処理部１４に指示をして、コンテンツ画像Ｉｃ及び描画画像Ｉｄのサイズや位置を元に戻させる。
【００８０】
次に、プロジェクター１に供給されるコンテンツ画像Ｉｃの解像度が変化した場合のプロジェクター１の動作について説明する。
図１５は、コンテンツ画像Ｉｃの解像度が変化した場合のプロジェクター１の動作を示すフローチャートである。画像供給装置３がコンテンツ画像Ｉｃの解像度を変更した場合や、プロジェクター１にコンテンツ画像Ｉｃを供給する画像供給装置３が他の画像供給装置３に切り替えられた場合のように、コンテンツ画像Ｉｃの解像度が変化した場合には、制御部１０は、図１５に示すフローに従って動作する。
【００８１】
図１５に示すように、ステップＳ２０１では、制御部１０は、記憶部１１に記憶されているツールバー情報を取得する。そして、ステップＳ２０２では、取得したツールバー情報に基づいて、ツールバーＰｔの表示状態、即ちツールバーＰｔが表示中か非表示かを判断する。制御部１０は、ツールバーＰｔが表示中の場合には、ステップＳ２０３に処理を移し、ツールバーＰｔが非表示の場合には、ステップＳ２０４に処理を移す。
【００８２】
ツールバーＰｔが表示中であってステップＳ２０３に処理が移行した場合には、制御部１０は、ツールバーＰｔを表示する処理（図１１参照）を実行してフローを終了する。つまり、制御部１０は、ツールバーＰｔがコンテンツ画像Ｉｃに重ならないよう、必要に応じてコンテンツ画像Ｉｃを縮小させたり移動させたりしたうえでツールバーＰｔを表示する。
【００８３】
一方、ツールバーＰｔが非表示であってステップＳ２０４に処理が移行した場合には、制御部１０は、画像情報処理部１６に指示をして、コンテンツ画像Ｉｃを最大のサイズで画素領域２２ｉに形成させるとともに、ＯＳＤ処理部１４にボタン画像Ｐｓの表示を指示してフローを終了する。ＯＳＤ処理部１４が、この指示を受けて、ボタン画像Ｐｓの画像情報を画像情報合成部１７に出力すると、コンテンツ画像Ｉｃ上にボタン画像Ｐｓが重畳して表示される。
【００８４】
以上説明したように、本実施形態の画像表示システム１００、プロジェクター１及びそれらの制御方法によれば、以下の効果を得ることができる。
【００８５】
（１）本実施形態によれば、ＯＳＤ処理部１４は、ステップＳ１０７，Ｓ１１１において、コンテンツ画像Ｉｃのサイズや位置の変更に連動して、描画画像Ｉｄのサイズや位置を変更する。このため、コンテンツ画像Ｉｃのサイズや位置を変更した場合でも、コンテンツ画像Ｉｃと描画画像Ｉｄとの間に生じるずれを抑制することができる。
【００８６】
（２）本実施形態によれば、画像情報処理部１６は、コンテンツ画像ＩｃがツールバーＰｔと重ならないようにコンテンツ画像Ｉｃのサイズ及び位置の少なくとも一方を変更するため、ツールバーＰｔがコンテンツ画像Ｉｃの一部を隠してしまうことがなくなり、コンテンツ画像Ｉｃの視認性の低下が抑制される。
【００８７】
（３）本実施形態によれば、画像情報処理部１６は、コンテンツ画像Ｉｃの周辺領域２２ｎにツールバーＰｔを配置できない場合にコンテンツ画像Ｉｃのサイズや位置を変更する。つまり、周辺領域２２ｎにツールバーＰｔを配置できる場合には、コンテンツ画像Ｉｃのサイズや位置を変更しないため、コンテンツ画像Ｉｃのサイズや位置が頻繁に変化してしまうことを抑制できる。
【００８８】
なお、上記実施形態において、コンテンツ画像Ｉｃが第１の画像に相当し、描画画像Ｉｄが第２の画像に相当し、ツールバーＰｔが第３の画像に相当する。
【００８９】
（変形例）
また、上記実施形態は、以下のように変更してもよい。
【００９０】
上記実施形態では、コンテンツ画像Ｉｃのサイズや位置の変更に連動させて、ＯＳＤ処理部１４が描画画像Ｉｄのサイズや位置を変更させているが、この態様に限定されない。例えば、プロジェクター１が、サイズ調整機能を有しているが位置調整機能を有していない場合には、ＯＳＤ処理部１４は、コンテンツ画像Ｉｃのサイズの変更に連動させて、描画画像Ｉｄのサイズを変更すればよい。一方、プロジェクター１が、位置調整機能を有しているがサイズ調整機能を有していない場合には、ＯＳＤ処理部１４は、コンテンツ画像Ｉｃの位置の変更に連動させて、描画画像Ｉｄの位置を変更すればよい。
【００９１】
上記実施形態では、ツールバーＰｔを配置する際に、必要に応じてコンテンツ画像Ｉｃを縮小させるようにしているが（図１１のステップＳ１０９参照）、プロジェクター１がコンテンツ画像Ｉｃを縮小させる代わりに、ＥＤＩＤを変更することによってコンテンツ画像Ｉｃのサイズや位置を変更するようにしてもよい。具体的には、通常、ＥＤＩＤメモリー１５ｂには、ＥＤＩＤとして、画素領域２２ｉの全域の解像度が記憶されているが、制御部１０は、ステップＳ１０９において、ＥＤＩＤとして記憶されている解像度を、画素領域２２ｉの全域からツールバーＰｔを配置する領域を除いた領域の解像度に変更する。
【００９２】
この結果、画像供給装置３は、新たなＥＤＩＤに対応した解像度で画像情報の供給を開始するため、プロジェクター１は、コンテンツ画像Ｉｃを縮小することなく周辺領域２２ｎにツールバーＰｔを配置することが可能となり、縮小に伴うコンテンツ画像Ｉｃの劣化を抑制することが可能となる。この構成の場合には、ＥＤＩＤを変更する際の制御部１０が、コンテンツ画像Ｉｃのサイズ及び位置の少なくとも一方を変更する第１の処理部に相当する。なお、ＥＤＩＤを変更する際には、制御部１０が、ＥＤＩＤを書き替えるようにしてもよいが、ＥＤＩＤメモリー１５ｂに予め複数のＥＤＩＤを記憶させておき、その中で有効なＥＤＩＤを制御部１０が切り替えるようにしてもよい。また、ツールバーＰｔを非表示にした場合には、制御部１０は、ＥＤＩＤを元に戻す。
【００９３】
上記実施形態において、画像情報合成部１７は、コンテンツ画像Ｉｃが含まれる第１のレイヤーと、ＯＳＤ画像が含まれる第２のレイヤーとを合成しているが、この態様に限定されない。例えば、ＯＳＤ処理部１４は、描画画像Ｉｄが生成されるレイヤーと、描画画像Ｉｄ以外のＯＳＤ画像が生成されるレイヤーとを区分してＯＳＤ画像を生成し、画像情報合成部１７は、コンテンツ画像Ｉｃが含まれる第１のレイヤーと、描画画像Ｉｄが含まれる第２のレイヤーと、他のＯＳＤ画像が含まれる第３のレイヤーとを合成するようにしてもよい。
【００９４】
上記実施形態では、ツールバーＰｔを表示する際にコンテンツ画像Ｉｃの縮小や移動を行う態様を示したが、メニュー画像やメッセージ画像等、ツールバーＰｔ以外のＯＳＤ画像を表示する際にコンテンツ画像Ｉｃの縮小や移動を行うようにしてもよい。
【００９５】
上記実施形態では、ツールバーＰｔの表示に伴うコンテンツ画像Ｉｃのサイズや位置の変更に連動させて描画画像Ｉｄのサイズや位置を変更する態様を示したが、この態様に限定されない。例えば、入力操作部１２に対するユーザーの入力操作に基づいてサイズ調整機能や位置調整機能を実行可能な構成、即ちユーザーが入力操作部１２を操作することによってコンテンツ画像Ｉｃを所望のサイズで所望の位置に配置することが可能な構成の場合には、これに連動して描画画像Ｉｄのサイズや位置を変更するようにしてもよい。また、複数の画像供給装置３から供給される複数のコンテンツ画像Ｉｃを並べて表示するマルチ画面表示が可能な構成では、マルチ画面表示に伴うコンテンツ画像Ｉｃのサイズや位置の変更に連動させて描画画像Ｉｄのサイズや位置を変更するようにしてもよい。例えば、第１のコンテンツ画像Ｉｃ１を単独で表示している状態（図１６Ａ参照）と、第１のコンテンツ画像Ｉｃ１と第２のコンテンツ画像Ｉｃ２とを並べて表示させるマルチ画面の状態（図１６Ｂ参照）とを切り替える際に、第１のコンテンツ画像Ｉｃ１のサイズや位置の変化に連動させて描画画像Ｉｄのサイズや位置を変更するようにしてもよい。
【００９６】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源２１から射出された光を変調するデジタルミラーデバイス等を用いることもできる。また、色光別に複数の光変調装置を備える構成に限定されず、１つの光変調装置で複数の色光を時分割で変調する構成としてもよい。
【００９７】
上記実施形態では、画像表示装置の例として、プロジェクター１について説明したが、画像表示装置はプロジェクター１に限定されず、液晶ディスプレイや有機ＥＬディスプレイ等、他の画像表示装置であってもよい。また、描画画像Ｉｄを生成するためのデバイスとしては、発光ペン２に限定されず、マウスやデジタイザー等のポインティングデバイスを採用してもよいし、表示面と一体的に構成されるタッチパネルを採用してもよい。
【００９８】
以下に、実施形態から導き出される内容を記載する。
【００９９】
画像表示装置は、表示面に画像を表示する画像表示装置であって、第１の画像が供給される入力部と、前記表示面上で指示体により指示された指示位置を検出する検出部と、前記検出部で検出された前記指示位置の軌跡に基づいて第２の画像を生成する生成部と、前記第１の画像に前記第２の画像を合成する合成部と、前記合成部で合成された前記第１の画像及び前記第２の画像を前記表示面に表示する表示部と、前記入力部に供給された前記第１の画像のサイズ及び位置の少なくとも一方を変更する第１の処理部と、前記生成部で生成された前記第２の画像に、前記第１の処理部によって前記第１の画像に施される変更に対応する変更を施す第２の処理部と、を備えることを特徴とする。
【０１００】
この構成によれば、第２の処理部は、第１の画像のサイズ及び位置の少なくとも一方が変更される場合に、対応する変更を第２の画像にも施すため、第１の画像と第２の画像との間に生じるずれを抑制することができる。
【０１０１】
上記の画像表示装置において、前記第２の処理部は、前記第１の画像のサイズが変更された場合には、前記第２の画像のサイズを変更する。
【０１０２】
この構成によれば、第１の画像のサイズが変更された場合に、第２の画像のサイズも変更されるため、第１の画像と第２の画像との間に生じるずれを抑制することができる。
【０１０３】
上記の画像表示装置において、前記第２の処理部は、前記第１の画像の位置が変更された場合には、前記第２の画像の位置を変更する。
【０１０４】
この構成によれば、第１の画像の位置が変更された場合に、第２の画像の位置も変更されるため、第１の画像と第２の画像との間に生じるずれを抑制することができる。
【０１０５】
上記の画像表示装置において、前記第１の画像に並べて第３の画像を表示する場合に、前記第１の処理部は、前記第３の画像が前記第１の画像と重ならないように前記第１の画像のサイズ及び位置の少なくとも一方を変更するようにしてもよい。
【０１０６】
この構成によれば、第１の処理部が第１の画像のサイズや位置を変更することによって、第３の画像が第１の画像と重ならないようにしているため、第３の画像が第１の画像の一部を隠してしまうことがなくなり、第１の画像の視認性の低下が抑制される。
【０１０７】
上記の画像表示装置において、前記第３の画像は、ユーザーの操作を補助するための操作画像であってもよい。
【０１０８】
この構成によれば、ユーザーの操作を補助する操作画像を表示した場合でも、操作画像が第１の画像を隠してしまうことがない。
【０１０９】
上記の画像表示装置において、前記表示部は、前記合成部で合成された前記第１の画像及び前記第２の画像が形成される画像形成部を有し、前記第１の処理部は、前記画像形成部における前記第１の画像の外側の周辺領域に前記第３の画像を配置すると前記第１の画像と前記第３の画像とが重なる場合に、前記第１の画像のサイズ及び位置の少なくとも一方を変更するようにしてもよい。
【０１１０】
この構成によれば、第１の処理部は、第１の画像の外側の周辺領域に第３の画像を配置すると第１の画像と第３の画像とが重なる場合に、第１の画像のサイズや位置を変更する。つまり、第１の画像と第３の画像とが重ならない場合には、第１の画像のサイズや位置を変更しないため、第１の画像のサイズや位置が頻繁に変化してしまうことを抑制できる。
【０１１１】
上記の画像表示装置において、前記画像形成部の解像度に応じた解像度情報が記憶された解像度情報記憶部をさらに備え、前記入力部には、前記解像度情報記憶部から前記解像度情報を取得した画像供給装置により、前記解像度情報に基づく解像度で前記第１の画像が入力され、前記第１の処理部は、前記第１の画像のサイズを変更する場合に、前記画像形成部から前記第３の画像を配置する領域を除外した領域の解像度に応じて前記解像度情報を変更するようにしてもよい。
【０１１２】
この構成によれば、第１の画像のサイズを変更する場合に、画像形成部から第３の画像を配置する領域を除外した領域の解像度に応じて解像度情報を変更する。この結果、画像供給装置は、変更後の解像度情報に応じた解像度で第１の画像を供給するため、画像表示装置が第１の画像を縮小させる処理を行う必要がなくなり、画像の縮小に伴う画像の劣化を抑制することが可能となる。
【０１１３】
画像表示装置の制御方法は、表示面に画像を表示する画像表示装置の制御方法であって、前記画像表示装置は、第１の画像の供給を受け、前記表示面上で指示体により指示された指示位置を検出し、前記指示位置の軌跡に基づいて第２の画像を生成し、前記第１の画像に前記第２の画像を合成し、合成された前記第１の画像及び前記第２の画像を前記表示面に表示し、供給された前記第１の画像のサイズ及び位置の少なくとも一方を変更する場合に、前記第１の画像に施される変更に対応する変更を前記第２の画像に施すことを特徴とする。
【０１１４】
この構成によれば、画像表示装置は、第１の画像のサイズ及び位置の少なくとも一方が変更される場合に、対応する変更を第２の画像にも施すため、第１の画像と第２の画像との間に生じるずれを抑制することができる。
【０１１５】
上記の画像表示装置の制御方法において、前記画像表示装置は、前記第１の画像のサイズを変更する場合には、前記第２の画像のサイズを変更する。
【０１１６】
この構成によれば、第１の画像のサイズが変更された場合に、第２の画像のサイズも変更されるため、第１の画像と第２の画像との間に生じるずれを抑制することができる。
【０１１７】
上記の画像表示装置の制御方法において、前記画像表示装置は、前記第１の画像の位置を変更する場合には、前記第２の画像の位置を変更する。
【０１１８】
この構成によれば、第１の画像の位置が変更された場合に、第２の画像の位置も変更されるため、第１の画像と第２の画像との間に生じるずれを抑制することができる。
【０１１９】
上記の画像表示装置の制御方法において、前記画像表示装置は、前記第１の画像に並べて第３の画像を表示する場合に、前記第３の画像が前記第１の画像と重ならないように前記第１の画像のサイズ及び位置の少なくとも一方を変更するようにしてもよい。
【０１２０】
この構成によれば、画像表示装置は、第１の画像のサイズや位置を変更することによって、第３の画像が第１の画像と重ならないようにしているため、第３の画像が第１の画像の一部を隠してしまうことがなくなり、第１の画像の視認性の低下が抑制される。
【０１２１】
上記の画像表示装置の制御方法において、前記第３の画像は、ユーザーの操作を補助するための操作画像であってもよい。
【０１２２】
この構成によれば、ユーザーの操作を補助する操作画像を表示した場合でも、操作画像が第１の画像を隠してしまうことがない。
【０１２３】
上記の画像表示装置の制御方法において、前記画像表示装置は、前記第１の画像及び前記第２の画像を、画像形成部に形成することによって前記表示面に表示し、前記画像形成部における前記第１の画像の外側の周辺領域に前記第３の画像を配置すると前記第１の画像と前記第３の画像とが重なる場合に、前記第１の画像のサイズ及び位置の少なくとも一方を変更するようにしてもよい。
【０１２４】
この構成によれば、画像表示装置は、第１の画像の外側の周辺領域に第３の画像を配置すると前記第１の画像と前記第３の画像とが重なる場合に、第１の画像のサイズや位置を変更する。つまり、第１の画像と第３の画像とが重ならない場合には、第１の画像のサイズや位置を変更しないため、第１の画像のサイズや位置が頻繁に変化してしまうことを抑制できる。
【０１２５】
上記の画像表示装置の制御方法において、前記画像表示装置は、前記画像形成部の解像度に応じた解像度情報が記憶された解像度情報記憶部を備えており、前記解像度情報記憶部から前記解像度情報を取得した画像供給装置により、前記解像度情報に基づく解像度で前記第１の画像の供給を受け、前記第１の画像のサイズを変更する場合に、前記画像形成部から前記第３の画像を配置する領域を除外した領域の解像度に応じて前記解像度情報を変更するようにしてもよい。
【０１２６】
この構成によれば、第１の画像のサイズを変更する場合に、画像形成部から第３の画像を配置する領域を除外した領域の解像度に応じて解像度情報を変更する。この結果、画像供給装置は、変更後の解像度情報に応じた解像度で第１の画像を供給するため、画像表示装置が第１の画像を縮小させる処理を行う必要がなくなり、画像の縮小に伴う画像の劣化を抑制することが可能となる。
【符号の説明】
【０１２７】
１…プロジェクター、２…発光ペン、２ａ…発光部、３…画像供給装置、１０…制御部、１０ａ…検出部、１０ｂ…描画画像生成部、１１…記憶部、１２…入力操作部、１３…撮像部、１４…ＯＳＤ処理部、１５…画像情報入力部、１５ａ…解析部、１５ｂ…ＥＤＩＤメモリー、１６…画像情報処理部、１７…画像情報合成部、１８…画像投写部、２１…光源、２２Ｒ，２２Ｇ，２２Ｂ…液晶ライトバルブ、２２ｅ…有効領域、２２ｉ…画素領域、２２ｎ…周辺領域、２３…投写光学系、２４…ライトバルブ駆動部、１００…画像表示システム、Ｉｃ…コンテンツ画像、Ｉｄ…描画画像、Ｉｐ…投写画像、Ｐｓ…ボタン画像、Ｐｔ…ツールバー、Ｓｐ…投写面、Ｔ…固定部材。
【図１】
2020042322.tif 000003
【図２】
2020042322.tif 000004
【図３】
2020042322.tif 000005
【図４Ａ】
2020042322.tif 000006
【図４Ｂ】
2020042322.tif 000007
【図５Ａ】
2020042322.tif 000008
【図５Ｂ】
2020042322.tif 000009
【図６Ａ】
2020042322.tif 000010
【図６Ｂ】
2020042322.tif 000011
【図７Ａ】
2020042322.tif 000012
【図７Ｂ】
2020042322.tif 000013
【図８Ａ】
2020042322.tif 000014
【図８Ｂ】
2020042322.tif 000015
【図９Ａ】
2020042322.tif 000016
【図９Ｂ】
2020042322.tif 000017
【図１０Ａ】
2020042322.tif 000018
【図１０Ｂ】
2020042322.tif 000019
【図１１】
2020042322.tif 000020
【図１２】
2020042322.tif 000021
【図１３】
2020042322.tif 000022
【図１４】
2020042322.tif 000023
【図１５】
2020042322.tif 000024
【図１６Ａ】
2020042322.tif 000025
【図１６Ｂ】
2020042322.tif 000026
【手続補正書】
【提出日】令和1年10月1日(2019.10.1)
【手続補正１】
【補正対象書類名】明細書
【補正対象項目名】００５９
【補正方法】変更
【補正の内容】
【００５９】
ツールバーＰｔが配置される位置は、画素領域２２ｉの特定の一辺に沿った位置に固定されておらず、他の辺に沿った位置に変更することも可能である。例えば、プロジェクター１は、ツールバーＰｔの位置を変更するためのアイコンが発光ペン２でタッチされる度に、ツールバーＰｔの表示位置を、下辺→右辺→上辺→左辺→下辺→…のように順次変更させる。上述したツールバー情報には、ツールバーＰｔの表示位置を表す位置情報も含まれており、この位置情報は、ツールバーＰｔの表示位置の変更に伴って更新される。